(57)【要約】【課題】引込みケーブルの切断をなくし、引込みケーブルを通すスペースを確保できる、上下分割型のフリーアクセス管とその管路を提供する。【解決手段】フリーアクセス管１のほぼ全長に亘ってセパレーター２を内装し、セパレーター２より上側の管内上部空間３を、引込みケーブルを通す空間とし、セパレーター２より下側の管内下部空間４を、ケーブルを挿通するための鞘管を通す空間とした、上下分割型のフリーアクセス管とする。そして、この上下分割型のフリーアクセス管を接続して管路を構成する。引込みケーブルを通す空間３と鞘管を通す空間４がセパレーター２を挟んで上下に分離されるので、引込みケーブルを引き込む際に鞘管の間に引込みケーブルが挟まって切断されることがなく、フリーアクセス管路の曲がり部分で鞘管の配置が乱れて引込みケーブルを通すスペースの確保が困難になることもない。【選択図】図１
2006158114.tif 000002
【特許請求の範囲】
【請求項１】
フリーアクセス管のほぼ全長に亘ってセパレーターを内装し、セパレーターより上側の管内上部空間を、引込みケーブルを通す空間とし、セパレーターより下側の管内下部空間を、ケーブルを挿通するための鞘管を通す空間としたことを特徴とする上下分割型のフリーアクセス管。
【請求項２】
セパレーターが、平板部の両側端に、フリーアクセス管の内面に当接する湾曲した側板部を形成したものであって、この側板部をフリーアクセス管の内面に止具で固定したことを特徴とする、請求項１に記載の上下分割型のフリーアクセス管。
【請求項３】
セパレーターの側板部が平板部の両側端から上下に延びていることを特徴とする、請求項２に記載の上下分割型のフリーアクセス管。
【請求項４】
フリーアクセス管のほぼ全長に亘ってセパレーターを内装し、フリーアクセス管の内部をセパレーターより上側の管内上部空間とセパレーターより下側の管内下部空間とに分割してなる上下分割型のフリーアクセス管を２本以上接続すると共に、管内上部空間に引込みケーブルを通し、管内下部空間に鞘管を通してケーブルを鞘管に挿通したことを特徴とするフリーアクセス管路。
【請求項５】
セパレーターが、平板部の両側端に、フリーアクセス管の内面に当接する湾曲した側板部を形成したものであって、この側板部をフリーアクセス管の内面に止具で固定したことを特徴とする、請求項４に記載のフリーアクセス管路。
【請求項６】
セパレーターの側板部が平板部の両側端から上下に延びていることを特徴とする、請求項５に記載のフリーアクセス管路。
【請求項７】
フリーアクセス管の一端に形成された接続口に次のフリーアクセス管の他端を差込み接続する共に、接続されたフリーアクセス管に内装されているセパレーターの端部同士をセパレーター接続部材を介して接続したことを特徴とする、請求項４ないし請求項６のいずれかに記載のフリーアクセス管路。
【請求項８】
セパレーター接続部材が、接続板の両側縁に沿ってその下面側に２本の接続バーを設けたものであり、この接続板から長さ方向に突き出した接続バーの両端部を、セパレーターの平板部の両側縁に沿ってその下面側に形成された空洞部に差込むことにより、セパレーターの端部同士をセパレーター接続部材を介して接続したことを特徴とする、請求項７に記載のフリーアクセス管路。
【請求項９】
セパレーター接続部材の接続板と接続バーとの間に、所定長さのスリットを接続板の長さ方向両端から形成し、このスリットにセパレーターの平板部の両側縁を挿入して、接続板の長さ方向両端部をセパレーターの平板部の端部に重ねたことを特徴とする、請求項８に記載のフリーアクセス管路。
【請求項１０】
セパレーター接続部材が、接続板の下面に逆Ｔ字形の断面形状を有する凸条を少なくとも１条形成したものであり、この凸条の両端部を、セパレーターの平板部の端部に形成されたスリットに挿入して、平板部の端部に重ねた接続板の長さ方向両端部が浮き上がらないように凸条をスリットに下方から係合させることにより、セパレーターの端部同士をセパレーター接続部材を介して接続したことを特徴とする、請求項７に記載のフリーアクセス管路。
【請求項１１】
管路の曲がり部分に位置する上下分割型のフリーアクセス管が、円弧状に曲がったフリーアクセス管のほぼ全長に亘って、互いに連結された複数の短尺セパレーターを内装したものであることを特徴とする、請求項４に記載のフリーアクセス管路。
【請求項１２】
短尺セパレーターが、短尺平板部の両側端に、フリーアクセス管の内面に当接する湾曲した側板部を形成すると共に、短尺平板部の両側縁に沿ってその下面側に空洞部を形成したものであり、この空洞部に挿通した連結ベルトによって複数の短尺セパレーターが連結されていることを特徴とする、請求項１１に記載のフリーアクセス管路。
【請求項１３】
短尺セパレーターの側板部が短尺平板部の両側端から上下に延びていることを特徴とする、請求項１２に記載のフリーアクセス管路。
【発明の詳細な説明】
【技術分野】
【０００１】
本発明は、コンパクトな次世代型電線共同溝に用いられる上下分割型のフリーアクセス管とその管路に関する。
【背景技術】
【０００２】
従来の電線共同溝は、幅員の広い歩道等を対象とした単管集合方式の大型のものであるため、幅員の狭い歩道には埋設できないという問題があった。そこで、極く最近、幅員の狭い歩道にも埋設できるように、共用フリーアクセス管とボディ管を上下に配管したコンパクトな次世代型電線共同溝の実施化が検討されるようになった。
【０００３】
しかしながら、この次世代型電線共同溝の共用フリーアクセス管の管内下部空間には、ケーブルを挿通した複数本の鞘管が通され、その上に重ねて複数本の需要家への引込みケーブルが直接通されるため、引込みケーブルを引き込む際に鞘管の間に引込みケーブルが挟まって切断されることがあった。また、フリーアクセス管路の曲がり部分では、鞘管が暴れて配置が乱れるため、引込みケーブルを通すスペースを確保できないこともあった。
【０００４】
上記のような次世代型電線共同溝の共用フリーアクセス管に関する問題を解決しようとした公知技術文献は、次世代型電線共同溝の実施化の検討が極く最近であるため、見つけ出すことができなかった。
【発明の開示】
【発明が解決しようとする課題】
【０００５】
本発明は、上記の問題に対処すべくなされたもので、引込みケーブルの切断をなくし、引込みケーブルを通すスペースを確保できる、上下分割型のフリーアクセス管を提供することを第一の解決課題としている。そして、この上下分割型のフリーアクセス管を内部のセパレーターまで含めて位置ズレなく接続し、接続部分や曲がり部分で引込みケーブルや鞘管を傷付けることなく容易に通せるようにしたフリーアクセス管路を提供することを第二の解決課題としている。
【課題を解決するための手段】
【０００６】
上記課題を解決するため、本発明に係る上下分割型のフリーアクセス管は、フリーアクセス管のほぼ全長に亘ってセパレーターを内装し、セパレーターより上側の管内上部空間を、引込みケーブルを通す空間とし、セパレーターより下側の管内下部空間を、ケーブルを挿通するための鞘管を通す空間としたことを特徴とするものである。
そして、本発明に係るフリーアクセス管路は、フリーアクセス管のほぼ全長に亘ってセパレーターを内装し、フリーアクセス管の内部をセパレーターより上側の管内上部空間とセパレーターより下側の管内下部空間とに分割してなる上下分割型のフリーアクセス管を２本以上接続すると共に、管内上部空間に引込みケーブルを通し、管内下部空間に鞘管を通してケーブルを鞘管に挿通したことを特徴とするものである。
【０００７】
本発明の上下分割型のフリーアクセス管およびその管路においては、セパレーターとして、平板部の両側端に、フリーアクセス管の内面に当接する湾曲した側板部を形成したものを内装し、この側板部をフリーアクセス管の内面に止具で固定することが好ましく、特に、セパレーターの側板部が平板部の両側端から上下に延びているものが好適に内装される。
【０００８】
そして、本発明のフリーアクセス管路においては、フリーアクセス管の一端に形成された接続口に次のフリーアクセス管の他端を差込み接続すると共に、接続されたフリーアクセス管に内装されているセパレーターの端部同士をセパレーター接続部材を介して接続することが好ましい。その場合、セパレーター接続部材として、接続板の両側縁に沿ってその下面側に２本の接続バーを設けたものを使用し、その接続板から長さ方向に突き出した接続バーの両端部を、セパレーターの平板部の両側縁に沿ってその下面側に形成された空洞部に差込むことにより、セパレーターの端部同士をセパレーター接続部材を介して接続することが好ましく、特に、セパレーター接続部材の接続板と接続バーとの間に所定長さのスリットを接続板の長さ方向両端から形成し、このスリットにセパレーターの平板部の両側縁を挿入して、接続板の長さ方向両端部をセパレーターの平板部の端部に重ねるとより好ましい。また、セパレーター接続部材として、接続板の下面に逆Ｔ字形の断面形状を有する凸条を少なくとも１条形成したものを使用し、この凸条の両端部を、セパレーターの平板部の端部に形成されたスリットに挿入して、平板部の端部に重ねた接続板の長さ方向両端部が浮き上がらないように凸条をスリットに下方から係合させることにより、セパレーターの端部同士をセパレーター接続部材を介して接続することも好ましい。
【０００９】
更に、本発明のフリーアクセス管路においては、管路の曲がり部分に位置する上下分割型のフリーアクセス管が、円弧状に曲がったフリーアクセス管のほぼ全長に亘って、互いに連結された複数の短尺セパレーターを内装したものであることが好ましい。短尺セパレーターとしては、短尺平板部の両側端に、フリーアクセス管の内面に当接する湾曲した側板部を形成すると共に、短尺平板部の両側縁に沿ってその下面側に空洞部を形成したものが好ましく、この空洞部に挿通した連結ベルトによって複数の短尺セパレーターが連結されていることが好ましい。特に、側板部が短尺平板部の両側端から上下に延びている短尺セパレーターは好適である。
【発明の効果】
【００１０】
本発明に係る上下分割型のフリーアクセス管及びその管路は、ケーブルを挿通する鞘管と需要家への引込みケーブルを分離して、需要家への引込みケーブルをセパレーターより上側の管内上部空間に通し、鞘管をセパレーターより下側の管内下部空間に通すため、鞘管の上に引込みケーブルを重ねて通す従来の共用フリーアクセス管のように、引込みケーブルを引き込む際に鞘管の間に引込みケーブルが挟まって切断されることがなく、また、フリーアクセス管路の曲がり部分で鞘管の配置が乱れて引込みケーブルを通すスペースの確保が困難になることもない。特に、セパレーターとして、平板部の両側端に、フリーアクセス管の内面に当接する湾曲した側板部を形成したものを用いて、この側板部をフリーアクセス管の内面に止具で固定すると、フリーアクセス管内部でのセパレーターの取付安定性及び固定強度が向上するため、鞘管や引込みケーブルを通す際にセパレーターが管内で動いてトラブルが発生するのを確実に防止することができる。また、セパレーターの側板部が平板部の両側端から下方にのみ延びている場合には、セパレーターの平板部の上側に通された細い引込みケーブルが、下方に延びる側板部とフリーアクセス管の内面との間に挟み込まれて切断される心配が生じるけれども、セパレーターとして、その側板部が平板部の両側端から上下に延びているものを用いると、上方に延びる側板部によって引込みケーブルが側板部とフリーアクセス管の内面との間に挟み込まれるのを確実に防止して、引込みケーブルの切断をなくすことができる。
【００１１】
そして、本発明のフリーアクセス管路において、フリーアクセス管の一端に形成された接続口に次のフリーアクセス管の他端を差込み接続し、接続されたフリーアクセス管に内装されているセパレーターの端部同士をセパレーター接続部材を介して接続したものは、フリーアクセス管は勿論のこと、管内のセパレーターまで位置ズレや捻じれ等を生じることなく接続できるので、接続部分で引込みケーブルや鞘管を傷付けることなく容易に通すことが可能となる。その場合、セパレーター接続部材として、接続板の両側縁に沿ってその下面側に２本の接続バーを設けたものを使用し、その接続板から長さ方向に突き出した接続バーの両端部を、セパレーターの平板部の両側縁に沿ってその下面側に形成された空洞部に差込むようにすると、セパレーター接続部材が外れないように簡単かつ確実にセパレーターの端部を接続することができる。特に、セパレーター接続部材の接続板と接続バーとの間に所定長さのスリットを接続板の長さ方向両端から形成し、このスリットにセパレーターの平板部の両側縁を挿入して、接続板の長さ方向両端部をセパレーターの平板部の端部に重ねるようにすると、セパレーターの平板部とセパレーター接続部材の接続板との間に隙間が生じないように接続することができる。また、セパレーター接続部材として、接続板の下面に逆Ｔ字形の断面形状を有する凸条を少なくとも１条形成したものを使用し、この凸条の両端部を、セパレーターの平板部の端部に形成されたスリットに挿入して、平板部の端部に重ねた接続板の長さ方向両端部が浮き上がらないように凸条をスリットに下方から係合させて接続する場合も、セパレーター接続部材の接続板とセパレーターの平板部との間に隙間が生じたり、セパレーター接続部材が外れたりしないように、簡単かつ確実に接続することができる。
【００１２】
更に、本発明のフリーアクセス管路において、その曲がり部分に位置する上下分割型のフリーアクセス管が、円弧状に曲がったフリーアクセス管のほぼ全長に亘って、互いに連結された複数の短尺セパレーターを内装したものであると、このような円弧状の上下分割型のフリーアクセス管は容易かつ安価に製作できるので、資材コストや施工コストを低減させることが可能となる。特に、短尺セパレーターが、短尺平板部の両側端に、フリーアクセス管の内面に当接する湾曲した側板部を形成すると共に、短尺平板部の両側縁に沿ってその下面側に空洞部を形成したものであり、この空洞部に挿通した連結ベルトによって複数の短尺セパレーターが連結されていると、曲率半径が種々異なるフリーアクセス管に対して内装できる自由度があり、しかも、側板部を止具でフリーアクセス管の内面に固定して安定良く内装できる利点がある。そして、この短尺セパレーターの側板部が短尺平板部の両側端から上下に延びていると、上側に延びる側板部によって、細い引込みケーブルが側板部とフリーアクセス管の内面との間に挟み込まれるのを確実に防止して、引込みケーブルの切断をなくすことができる。
【発明を実施するための最良の形態】
【００１３】
以下、図面を参照して本発明の具体的な実施形態を詳述する。
図１は本発明の一実施形態に係る上下分割型のフリーアクセス管の斜視図、図２は同フリーアクセス管と円弧状に曲がったフリーアクセス管を接続して施工される本発明のフリーアクセス管路の一実施形態を示す平面図、図３は同フリーアクセス管の縦断面図、図４は図３のＡ−Ａ線断面図、図５は同フリーアクセス管のセパレーターを示す斜視図、図６は同フリーアクセス管の接続部分の縦断面図、図７はセパレーター接続部材の一例を示す斜視図、図８は同セパレーター接続部材によるセパレーターの接続の仕方を説明する部分斜視図、図９はセパレーター接続部材の他の例を示す斜視図、図１０は同セパレーター接続部材によるセパレーターの接続の仕方を説明する部分斜視図、図１１は図１０のＢ−Ｂ線断面図、図１２は円弧状に曲がった上下分割型のフリーアクセス管の平面図、図１３は円弧状に曲がったフリーアクセス管に内装される互いに連結された複数の短尺セパレーターを示す斜視図、図１４は短尺セパレーターの斜視図である。
【００１４】
図１に示す上下分割型のフリーアクセス管は、まっすぐな合成樹脂製のフリーアクセス管１にセパレーター２を内装したものであって、図４に示すようにセパレーター２より上側の管内上部空間３を、引込みケーブル５を通す空間とし、セパレーターより下側の管内下部空間４を、ケーブル６を挿通するための鞘管７を通す空間としたものである。
【００１５】
図１、図３に示すように、このフリーアクセス管１の一端部は管の肉厚分だけ拡径されて接続口１ａが形成されており、図６に示すように、この接続口１ａに次のフリーアクセス管１の他端部が差し込まれて接続されるようになっている。そして、この接続口１ａには、内面側から防水パッキン８を嵌着するパッキン嵌着溝１ｂが膨出して形成されており、この防水パッキン８によってフリーアクセス管の接続部分の水密性が確保されるようになっている。
【００１６】
上記のセパレーター２は、アルミニウムの押出し型材からなるものであって、図４、図５に示すように、平板部２ａの両側端には、フリーアクセス管１の内面に当接する湾曲した上下に延びる側板部２ｂ，２ｂが一体形成されており、更に、平板部２ａの両側縁に沿ってその下面側には、角筒状の空洞部２ｃ，２ｃが一体形成されている。そして、平板部２ａの長さ方向両端部には、スリット２ｄが二つずつ平行に形成されている。このスリット２ｄは、後述するセパレーター接続部材１４を用いてセパレーター２同士を接続する場合に必要なものであるが、後述するもう一つのセパレーター接続部材１３を用いてセパレーター２同士を接続する場合は不必要であるから省略してもよい。
【００１７】
かかるセパレーター２は、図１、図３に示すように、接続口１ａを除いてフリーアクセス管１のほぼ全長に亘って内装されており、図４に示すように、セパレーター２の側板部２ｂ，２ｂがフリーアクセス管１の内面にリベット９，９で固定されている。このようにリベット９，９でセパレーター２の側板部２ｂ，２ｂを固定すると、フリーアクセス管１の内部でのセパレーター２の取付安定性及び固定強度が向上するため、引込みケーブル５をセパレーター２の平板部２ａより上側の管内上部空間３に通す際や、鞘管６を平板部２ａより下側の管内下部空間４に通す際に、セパレーター２が管内で動いてトラブルが発生するのを確実に防止することができる。そして、セパレーター２の側板部２ｂ，２ｂが平板部の両側端から上下に延びていると、上方に延びる側板部２ｂ，２ｂによって、細い引込みケーブル５が側板部２ｂ，２ｂとフリーアクセス管１の内面との間に挟み込まれるのを確実に防止して、引込みケーブル５の切断をなくすことができる。
【００１８】
尚、セパレーター２はアルミニウムの押出し型材に限定されるものではなく、熱可塑性合成樹脂を押出成形したものでもよい。また、セパレーター２の側板部２ｂ，２ｂの固定はリベット９以外の止具を用いて行ってもよいが、リベット９で固定すると、作業性が良い上に十分な固定強度が得られるので好ましい。更にリベット９が防水性のものであると、フリーアクセス管１の内部に水が浸入するのを防止できるので、より一層好ましい。
【００１９】
本発明のフリーアクセス管路は、上記のまっすぐな上下分割型のフリーアクセス管１を２本以上接続するか、或いは、管路に曲がり部分がある場合には、図２に例示するように、上記のまっすぐな上下分割型のフリーアクセス管１と、円弧状に曲がった上下分割型のフリーアクセス管１０を接続し、これらのフリーアクセス管１，１０の管内上部空間３に需要家への引込みケーブル５を通すと共に、管内下部空間４に鞘管７を通してケーブル６を鞘管７に挿通することにより施工されるものである。この図２において、１１は通信接続桝、１２はフリーアクセス管１に取付けられた分岐管を示しており、フリーアクセス管１の管内上部空間３に通された引込みケーブル５は、上記の分岐管１２を通って需要家へ引き込まれるようになっている。また、図２では図示していないが、このフリーアクセス管路の下側にはボディ管路が設けられる。
【００２０】
上記のフリーアクセス管路において、上下分割型のフリーアクセス管１，１同士は図６に示す接続構造で接続されている。即ち、フリーアクセス管１の一端の接続口１ａのパッキン嵌着溝１ｂに防水パッキン８が嵌着され、この接続口１ａに次のフリーアクセス管１の他端が差し込まれて水密的に接続されると共に、双方のフリーアクセス管１，１に内装されたセパレーター２，２の端部同士がセパレーター接続部材１３を介して接続されている。
【００２１】
このセパレーター接続部材１３は、セパレーター２と同様のアルミニウム製又は合成樹脂製の部材であって、接続板１３ａの両側縁に沿ってその下面側に２本の接続バー１３ｂ，１３ｂが形成されており、接続板１３ａから長さ方向に突き出した接続バー１３ｂ，１３ｂの両端部は先細り状に加工されている。そして、接続板１３ａと接続バー１３ｂ，１３ｂとの間には、所定長さのスリット１３ｃが接続板１３ａの長さ方向両端から形成されており、また、接続板１３ａの両側端より立上がる側板１３ｄ，１３ｄが形成されている。
【００２２】
セパレーター２の端部同士の接続は、図６，図８に示すように、上記セパレーター接続部材１３の接続バー１３ｂの両端部を双方のセパレーター２，２の角筒状の空洞部２ｃ，２ｃに差し込むと共に、セパレーター接続部材１３のスリット１３ｃ，１３ｃにセパレーター２，２の平板部２ａ，２ａの両側縁を挿入し、セパレーター接続部材１３の接続板１３ａの長さ方向両端部をセパレーター２，２の平板部２ａの端部に重ねることによって行われている。このようにすると、セパレーター接続部材１３を介してセパレーター２，２を簡単かつ確実に接続することができ、セパレーター２，２相互の位置ズレ、段差、捻じれ等が生じたり、セパレーター接続部材１３が脱落したり、セパレーターの平板部２ａとセパレーター接続部材の接続板１３ａとの間に隙間が生じたりすることはなくなる。従って、引込みケーブル５や鞘管７を、この接続部分で引掛けたり傷付けたりすることなく、管路内にスムーズに通すことができる。そして、このセパレーター接続部材１３のように接続板１３ａの両側端より立上がる側板１３ｄ，１３ｄが形成されていると、接続板１３ａの剛性や強度が増す上に、この側板１３ｄ，１３ｄによって、細い引込みケーブル５が接続バー１３ｂとフリーアクセス管１の内面との間に挟み込まれるのを確実に防止して、引込みケーブル５の切断をなくすことができる。
【００２３】
また、セパレーター２の端部同士の接続は、図９に示すようなセパレーター接続部材１４を用いて行ってもよい。このセパレーター接続部材１４は、アルミニウム製又は合成樹脂製の部材であって、接続板１４ａの下面に逆Ｔ字形の断面形状を有する凸条１４ｂ，１４ｂが互いに平行に２条形成されたものであり、接続板１４ａの両側端には側板１４ｄ，１４ｄが形成されている。このように側板１４ｄ，１４ｄが形成されていると、上記のセパレーター接続部材１３の場合と同様に、接続板１４ａの剛性や強度が向上する上に、引込みケーブルの切断をなくすことができる。斯かるセパレーター接続部材１４を用いてセパレーター２，２を接続する場合は、図１０、図１１に示すように、凸条１４ｂ，１４ｂの両端部を双方のセパレーター２，２の前記スリット２ｄ，２ｄに挿入して、セパレーター２，２の平板部２ａ，２ａの端部に重ねた接続板１４ａの長さ方向両端部が浮き上がらないように凸条１４ｂ，１４ｂをスリット２ｄ，２ｄに下方から係合させればよく、これによってセパレーター２，２の端部同士を簡単かつ確実に接続することができる。尚、セパレーター接続部材１４の凸条１４ｂは少なくとも１条形成されていればよく、２条に限定されるものではない。また、セパレーター２のスリット２ｄは、凸条１４ｂに対応して同数形成される。
【００２４】
このフリーアクセス管路の曲がり部分に位置する上下分割型のフリーアクセス管１０は、図１２に示すように、円弧状に４５°曲がったフリーアクセス管１０の接続口１ａを除くほぼ全長に亘って、互いに連結された複数（図１２では４つ）の短尺セパレーター２０を内装し、これらの短尺セパレーター２０より上側の管内上部空間を、需要家への引込みケーブルを通す空間とし、これらの短尺セパレーター２０より下側の管内下部空間を、ケーブルを挿通するための鞘管を通す空間としたものである。このフリーアクセス管１０の曲がり角は４５°に限定されるものではなく、例えば３０°や１５°に曲がるものでもよい。
【００２５】
それぞれの短尺セパレーター２０は、前述のセパレーター２を短く切断した構造を有するもので、図１４に示すように、短尺平板部２０ａの両側端に、フリーアクセス管１０の内面に当接する湾曲した上下に延びる側板部２０ｂ，２０ｂが形成されると共に、短尺平板部２０ａの両側縁に沿ってその下面側に角筒状の空洞部２０ｃ，２０ｃが形成されたものであり、図１３に示すように、この空洞部２０ｃ，２０ｃに連結ベルト１５が挿通されて、それぞれの短尺セパレーター２０が連結されている。そして、連結された複数の短尺セパレーター２０のうち両端に位置する短尺セパレーター２０の短尺平板部２０ａには、２本のスリット２０ｄ，２０ｄが形成されており、また、それぞれの短尺セパレーター２０の側板部２０ｂ，２０ｂはリベットでフリーアクセス管１０の内面に固定されている。この短尺セパレーター２０も、側板部２０ｂ，２０ｂが短尺平板部２０ａの両側端から上下に延びているため、上方に延びる側板部２０ｂ，２０ｂによって、細い引込みケーブル５が側板部２０ｂ，２０ｂとフリーアクセス管１０の内面との間に挟み込まれるのを確実に防止して、引込みケーブル５の切断をなくすことができる。
【００２６】
円弧状に曲がった上下分割型のフリーアクセス管１０と、円弧状に曲がった上下分割型のフリーアクセス管１０（又はまっすぐな上下分割型のフリーアクセス管１）との接続は、一方の円弧状に曲がったフリーアクセス管１０の一端の接続口１ａに、他方のフリーアクセス管１０（又は１）の他端を差し込むと共に、前述したセパレーター接続部材１４を用いて、その凸条１４ｂ，１４ｂの両端部を一方のフリーアクセス管１０内の短尺セパレーター２０のスリット２０ｄ，２０ｄと、他方のフリーアクセス管１０（又は１）内の短尺セパレーター２０（又はセパレーター２）のスリット２０ｄ，２０ｄ（又は２ｄ，２ｄ）とに挿入して、セパレーター接続部材１４が浮き上がらないように凸条１４ｂ，１４ｂをスリット２０ｄ，２０ｄ（又は２ｄ，２ｄ）に下方から係合させて行えばよい。
【００２７】
以上のような構成の上下分割型のフリーアクセス管１，１０及びこれらを接続した管路は、ケーブル６を挿通した鞘管７と需要家への引込みケーブル５を分離して、需要家への引込みケーブル５をセパレーター２又は２０より上側の管内上部空間３に通し、ケーブル６を挿通するための鞘管７をセパレーター２又は２０より下側の管内下部空間４に通すため、鞘管７の上に引込みケーブル５を重ねて通す従来の共用フリーアクセス管のように、引込みケーブル５を引き込む際に鞘管７の間に引込みケーブルが挟まって切断される心配がなく、また、フリーアクセス管路の曲がり部分で鞘管７の配置が乱れて引込みケーブル５を通すスペースの確保が困難になることもない。そして、セパレーター２や短尺セパレーター２０の側板部２ｂ，２０ｂが平板部２ａや短尺平板部２０ａの両側端から上下に延びているため、この上方に延びる側板部２ｂ，２０ｂによって細い引込みケーブル５が側板部２ｂ，２０ｂとフリーアクセス管１，１０の内面との間に挟み込まれて切断されるのを確実に防止することができ、また、セパレーター接続部材１３，１４にも上方に延びる側板１３ｄ，１４ｄが形成されているため、同様に引込みケーブル５の切断を防止することができる。しかも、このフリーアクセス管路では、内装されたセパレーター同士の接続がセパレーター接続部材１３，１４を介して簡単かつ確実に行われ、セパレーター相互の位置ズレ、段差、捻じれ等が生じたり、セパレーター接続部材１３，１４が脱落したり、セパレーターとセパレーター接続部材との間に隙間が生じたりすることもないため、引込みケーブル５や鞘管７を、この接続部分で引掛けたり傷付けたりすることなく、管路内にスムーズに通すことができる。
【図面の簡単な説明】
【００２８】
【図１】図１は本発明の一実施形態に係る上下分割型フリーアクセス管の斜視図である。
【図２】同フリーアクセス管と円弧状に曲がったフリーアクセス管を接続して施工される本発明のフリーアクセス管路の一実施形態を示す平面図である。
【図３】同フリーアクセス管の縦断面図である。
【図４】図３のＡ−Ａ線断面図である。
【図５】同フリーアクセス管のセパレーターを示す斜視図である。
【図６】同フリーアクセス管の接続部分の縦断面図である。
【図７】セパレーター接続部材の一例を示す斜視図である。
【図８】同セパレーター接続部材によるセパレーターの接続の仕方を説明する部分斜視図である。
【図９】セパレーター接続部材の他の例を示す斜視図である。。
【図１０】同セパレーター接続部材によるセパレーターの接続の仕方を説明する部分斜視図である。
【図１１】図１０のＢ−Ｂ線断面図である。
【図１２】円弧状に曲がった上下分割型のフリーアクセス管の平面図である。
【図１３】円弧状に曲がったフリーアクセス管内に内装される互いに連結された複数の短尺セパレーターを示す斜視図である
【図１４】短尺セパレーターの斜視図である。
【符号の説明】
【００２９】
１    フリーアクセス管
１ａ  接続口
２    セパレーター
２ａ  平板部
２ｂ  側板部
２ｃ  空洞部
２ｄ  スリット
３    管内上部空間
４    管内下部空間
５    引込みケーブル
６    ケーブル
７    鞘管
９    リベット（止具）
１０  円弧状に曲がったフリーアクセス管
１３  セパレーター接続部材
１３ａ  接続板
１３ｂ  接続バー
１３ｃ  スリット
１４  セパレーター接続部材
１４ａ  接続板
１４ｂ  凸条
１５  連結ベルト
２０  短尺セパレーター
２０ａ  短尺平板部
２０ｂ  側板部
２０ｃ  空洞部
【図１】
2006158114.tif 000003
【図２】
2006158114.tif 000004
【図３】
2006158114.tif 000005
【図４】
2006158114.tif 000006
【図５】
2006158114.tif 000007
【図６】
2006158114.tif 000008
【図７】
2006158114.tif 000009
【図８】
2006158114.tif 000010
【図９】
2006158114.tif 000011
【図１０】
2006158114.tif 000012
【図１１】
2006158114.tif 000013
【図１２】
2006158114.tif 000014
【図１３】
2006158114.tif 000015
【図１４】
2006158114.tif 000016